【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
平面視で四角形状に形成された室外機本体（５）と、
この室外機本体（５）に収容され、前記室外機本体（５）の１つの角部（５Ａ）を除く範囲で４つの側面に対向して設けられた熱交換器（１３）と、
前記室外機本体（５）の上部に設けられ、当該室外機本体（５）の側面から取り入れた空気を上方へ吹き出す送風ファン（２３）と、
この送風ファン（２３）の外周を囲い、空気の吹き出し口を形成する通風部材（３０ａ）、及び前記通風部材（３０ａ）の水平方向外側に配置されかつ前記室外機本体（５）の平面形状に対応して平面視略四角形状に形成された外周部材（３０ｂ）を備えたベルマウス（３０）と、
前記室外機本体（５）に収容され、前記熱交換器（１３）における一の側端部（３２ａ）と他の側端部（３５ａ）との間の開口部（３６）であって前記角部（５Ａ）に配置される電装品ユニット（３８）と、を備えており、
前記電装品ユニット（３８）は、前記通風部材（３０ａ）の下端を上下方向に跨いで設けられ、かつ前記通風部材（３０ａ）の下端よりも上側に配置された部分が当該通風部材（３０ａ）の水平方向の外側に配置されており、
前記外周部材（３０ｂ）における前記角部（５Ａ）に対応する部分には、前記電装品ユニット（３８）を配置するための切り欠け（３０ｃ）が形成されており、
前記電装品ユニット（３８）は、前記切り欠け（３０ｃ）に配置されることによって、前記室外機本体（５）の一の側面に沿う水平な方向についての前記熱交換器（１３）の第１の全体幅、及び当該一の側面に直交する他の側面に沿う水平な方向についての前記熱交換器（１３）の第２の全体幅の範囲に入り込んでいることを特徴とする空気調和装置の室外機。
【請求項２】
前記電装品ユニット（３８）は、電装品を収容する電装品箱（３８）を備え、この電装品箱（３８）は、前記通風部材（３０ａ）の下端よりも下方に、当該下端よりも上側に配置された部分（５１）よりも水平断面積が拡大された部分（５２）を有している、請求項１に記載の空気調和装置の室外機。
【請求項３】
前記電装品ユニット（３８）は、電装品を収容する電装品箱（３８）を備え、この電装品箱（５０）は、前記通風部材（３０ａ）の下端よりも上側の部分（５１）に、前記通風部材（３０ａ）の外周面に対向して傾斜する傾斜壁（５１ｄ１）を有している、請求項１又は２に記載の空気調和装置の室外機。
【請求項４】
前記送風ファン（２３）が、前記室外機本体（５）の平面範囲内において、前記室外機本体（５）の他の角部側へ偏心して配置されている、請求項１〜３に記載の空気調和装置の室外機。
【請求項５】
前記電装品ユニット（３８）と、前記熱交換器（１３）の一方の側端部（３２ａ）との間には、前記圧縮機（１１）を出し入れ可能なスペースが形成されている、請求項１〜４のいずれかに記載の空気調和装置の室外機。
【請求項６】
前記電装品ユニット（３８）が、前記室外機本体（５）の１つの側面に対応して水平方向に配置された梁部材（２８ａ）に支持されており、
前記梁部材（２８ａ）は、前記室外機本体（５）の所定の取付箇所に前記電装品ユニット（３８）を取り付ける際に、当該電装品ユニット（３８）を前記取付箇所に案内するガイドレール部（２８ａ１）を有している、請求項１〜５のいずれかに記載の空気調和装置の室外機。
【手続補正２】
【補正対象書類名】明細書
【補正対象項目名】０００６
【補正方法】変更
【補正の内容】
【０００６】
（１）本発明に係る空気調和装置の室外機は、
平面視で四角形状に形成された室外機本体と、
この室外機本体に収容され、前記室外機本体の１つの角部を除く範囲で４つの側面に対向して設けられた熱交換器と、
前記室外機本体の上部に設けられ、当該室外機本体の側面から取り入れた空気を上方へ吹き出す送風ファンと、
この送風ファンの外周を囲い、空気の吹き出し口を形成する通風部材、及び前記通風部材の水平方向外側に配置されかつ前記室外機本体の平面形状に対応して平面視略四角形状に形成された外周部材を備えたベルマウスと、
前記室外機本体に収容され、前記熱交換器における一の側端部と他の側端部との間の開口部であって前記角部に配置される電装品ユニットと、を備えており、
前記電装品ユニットは、前記通風部材の下端を上下方向に跨いで設けられ、かつ前記通風部材の下端よりも上側に配置された部分が当該通風部材の水平方向の外側に配置されており、
前記外周部材における前記角部に対応する部分には、前記電装品ユニットを配置するための切り欠けが形成されており、
前記電装品ユニットは、前記切り欠けに配置されることによって、前記室外機本体の一の側面に沿う水平な方向についての前記熱交換器の第１の全体幅、及び当該一の側面に直交する他の側面に沿う水平な方向についての前記熱交換器の第２の全体幅の範囲に入り込んでいることを特徴とする。
【手続補正３】
【補正対象書類名】明細書
【補正対象項目名】０００７
【補正方法】変更
【補正の内容】
【０００７】
室外機本体の上部に送風ファンを備えた上吹き出しタイプの室外機において、送風ファンの外周を囲う通風部材の水平方向外側は空気の流れに寄与することが少なく、所謂デッドスペースとなっている場合が多い。そのため、本発明の室外機は、当該デッドスペースに電装品ユニットの一部を配置することによって、通風部材よりも下方における熱交換器の一の側端部と他の側端部との間の開口部に占める電装品ユニットの配置スペースの割合を小さくしている。これにより、室外機本体内の機器に対するメンテナンスや交換等の作業のために当該開口部を可及的に広く利用することができ、当該作業の作業性を向上させることができる。また、通風部材の下端よりも上側においては電装品ユニットの一部が空気の流れに影響を及ぼすことはほとんどなく、熱交換効率を悪化させることもない。
また、室外機本体の４つの側面に対向して熱交換器が配置されることによって、熱交換能力を維持しながら室外機をコンパクト化すること、又は、室外機を大型化することなく熱交換能力を増大することが可能となり、しかも、前述のように開口部に占める電装品ユニットの配置スペースの割合を小さくできるので、開口部を介して行うメンテナンス等の作業の作業性を損なうこともない。
また、室外機本体の上部に設けられる送風ファンは平面視で円形状の軌跡を描いて回転し、この送風ファンの外周を囲う通風部材は円筒形状を呈する。そのため、通風部材の水平方向外側であって平面視四角形状の室外機本体の角部には比較的広いデッドスペースが生じる。本発明においては、このような角部を利用することによって室外機本体の平面範囲内に電装品ユニットの一部の配置スペースを可及的に広く確保することができる。
【手続補正４】
【補正対象書類名】明細書
【補正対象項目名】０００８
【補正方法】変更
【補正の内容】
【０００８】
（２）前記電装品ユニットは、電装品を収容する電装品箱を備え、この電装品箱は、前記通風部材の下端よりも下方に、当該下端よりも上側に配置された部分よりも水平断面積が拡大された部分を有していることが好ましい。
【手続補正５】
【補正対象書類名】明細書
【補正対象項目名】０００９
【補正方法】変更
【補正の内容】
【０００９】
（３）前記電装品ユニットは、電装品を収容する電装品箱を備え、この電装品箱は、前記通風部材の下端よりも上側の部分に、前記通風部材の外周面に対向して傾斜する傾斜壁を有していることが好ましい。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】